(57)【要約】【課題】原稿のセット不良によるユーザの意図しない原稿を読取らない原稿読取装置を提供する。【解決手段】ユーザからの原稿の読取開始の要求を受け付ける（Ｓ１１）。具体的には、読取指示キー４２が押されたか否かを判断する。次いで、原稿検出スイッチ１４が原稿を検出しているか否かを判断する（Ｓ１２）。原稿検出スイッチ１４が原稿を検出しなかったときは、原稿サイズ検出センサ１５が原稿を検出しているか否かを判断する（Ｓ１３）。原稿サイズ検出センサ１５が原稿を検出していれば（Ｓ１３でＹＥＳ）、ユーザが原稿を正しくセットしていないということであるから、原稿セット不良としてその旨を表示部に表示する（Ｓ１４）。【選択図】図４
2008211321.tif 000002
【特許請求の範囲】
【請求項１】
原稿を載置する原稿載置テーブルと、
前記原稿載置テーブル上の所定の読取り位置へ前記原稿を搬送する自動原稿送り装置とを含み、
前記原稿送り装置は、前記原稿の搬送方向において相互に間隔をあけて順に設けられた、第１センサおよび第２センサを含み、
前記第１センサが原稿を検出せず、前記第２センサが原稿を検出したときに警告を行う警告手段を含む、原稿読取装置。
【請求項２】
前記第１センサは、前記原稿が前記原稿送り装置にセットされたか否かを検出する原稿検出スイッチであり、前記第２センサは、前記原稿のサイズを検出する原稿サイズ検出センサである、請求項１に記載の原稿読取装置。
【請求項３】
さらに表示手段を含み、
前記警告手段は、前記表示手段に警告を表示する、請求項１または２に記載の原稿読取装置。
【請求項４】
前記警告手段は、音による警告を行う、請求項１から３のいずれかに記載の原稿読取装置。
【発明の詳細な説明】
【技術分野】
【０００１】
この発明は、原稿読取装置に関し、特に、ユーザの意図しない原稿の読み取りを行わない、原稿読取装置に関する。
【背景技術】
【０００２】
従来の原稿読取装置がたとえば、特開２００５−７３１１６号公報（特許文献１）や、実開平１−１６６６３８号公報（特許文献２）に記載されている。
【０００３】
特許文献１によれば、原稿テーブルと自動原稿送り装置の双方に原稿が設置してある場合、どちらからコピーするのかの優先度を設定できるようにして、双方を的確にコピーできるようにしている。
【０００４】
特許文献２は、原稿などの用紙を積載して収納するスタッカと、スタッカ先端部に配置され、用紙を送り出しながら分離する上下一対の分離部材とを備えた自動原稿送り装置において、分離部材の入り口付近に設けられ、用紙の有無を検出する第１センサと、スタッカ上の用紙エンプティを検出する第２センサとが設けられ、用紙セット時に第２センサが用紙を検出した状態で、第１センサが用紙を検出したときに、異常セットと判断し、動作の禁止や再セットの警告を行っている。
【特許文献１】特開２００５−７３１１６号公報（要約）
【特許文献２】実開平１−１６６６３８号公報（段落番号００１４およびそれに関連する記載）
【発明の開示】
【発明が解決しようとする課題】
【０００５】
従来の原稿読取装置は上記のように構成されていた。特許文献１によれば、テーブルと自動原稿送り装置のいずれで原稿を読取るかの優先度を設定する必要があるため操作が煩雑であった。また、特許文献２によれば、原稿を自動原稿送り装置に正しくセットしていない場合、自動原稿送り装置は原稿があることを検出せず、ユーザから読取の指示をうけると、原稿テーブルにある原稿を読み込んでしまい、原稿セット不良によるミスコピーを防ぐことができない、という問題があった。
【０００６】
この発明は、上記のような問題点を解消するためになされたもので、原稿のセット不良によるユーザの意図しない原稿を読取らない原稿読取装置を提供することを目的とする。
【課題を解決するための手段】
【０００７】
この発明に係る、原稿読取装置は、原稿を載置する原稿載置テーブルと、原稿載置テーブル上の所定の読取り位置へ原稿を搬送する自動原稿送り装置とを含む。原稿送り装置は、原稿の搬送方向において相互に間隔をあけて順に設けられた、第１センサおよび第２センサを含み、第１センサが原稿を検出せず、第２センサが原稿を検出したときに警告を行う警告手段を含む。
【０００８】
好ましくは、第１センサは、原稿が原稿送り装置にセットされたか否かを検出する原稿検出スイッチであり、第２センサは、原稿のサイズを検出する原稿サイズ検出センサである。
【０００９】
さらに好ましくは、表示手段を含み、警告手段は、表示手段に警告を表示する。
【００１０】
なお、警告手段は、音による警告を行ってもよい。
【発明の効果】
【００１１】
この発明に係る原稿読取装置においては、原稿送り装置の搬送方向前側に設けられた第１センサが原稿を検出せず、後側に設けた第２のセンサが原稿を検出したときは警告を行う。第１センサが原稿を検出せず、第２センサが検出するのは、原稿のセット不良であるため、ユーザは警告によって、原稿が正しくセットしなおす。
【００１２】
その結果、セット不良によるユーザの意図しない原稿を読取らない原稿読取装置を提供できる。
【発明を実施するための最良の形態】
【００１３】
以下、この発明の実施の形態を図面を参照して説明する。図１（Ａ）はこの発明の一実施の形態にかかる、原稿読取装置の該略の構成を示す平面図である。図１（Ａ）を参照して、原稿読取装置１０は、原稿を自動的に所定の原稿読取位置へ搬送する原稿送り装置１１を含む。原稿送り装置１１は、原稿を載置する原稿載置台１２を含む。原稿載置台１２は図中矢印Ａで示す方向に原稿を搬送する。原稿載置台１２は、原稿の一辺をガイドする第１ガイド辺１３ａと、第１ガイド辺１３の反対方向の辺をガイドする第２ガイド辺１３ｂとを有する。第２ガイド辺１３ｂは、図中矢印Ｂで示す方向へ移動が可能であり、それによって、原稿が正しく搬送方向に搬送されるようにガイドするとともに、原稿のサイズを検出している。
【００１４】
原稿載置台１２には、原稿載置台１２上に原稿があるか否かを判別する原稿検出スイッチ（第１センサ）１４と、原稿のサイズを検出する原稿サイズ検出センサ（第２センサ）１５ａ，１５ｂが設けられている。図においては、原稿載置台１２上に一点鎖線で示したＢ４横置きの原稿や、点線で示したＡ３横置きの原稿とが表示されているが、原稿サイズ検出センサ１５ａ，１５ｂは、これらの原稿のサイズを検出している。
【００１５】
なお、原稿載置台１２の搬送方向の端部には、ユーザが原稿の先端を揃える先端部が設けられている。この先端部や原稿検出スイッチ１４を含む原稿搬送部は、カバー１７で覆われている。
【００１６】
原稿読取装置１０には原稿の読取のための条件等を入力するとともに、原稿の読取を指示する等の操作を行う操作部を兼ねた表示部２０が設けられている。
【００１７】
また、原稿送り装置１１は、その一方端（図中奥）側でヒンジ１６ａ，１６ｂにより原稿読取装置１０に接続されており、手前側を持ち上げることにより、原稿送り装置１１を開くことが可能である。
【００１８】
図１（Ｂ）は、図１（Ａ）の状態から原稿送り装置１１を持ち上げた状態を示す図である。図１（Ｂ）に示すように、原稿送り装置１１の下面には、原稿を直接載置する原稿テーブル１８が設けられ、原稿テーブル１８の一部に、原稿送り装置１１で搬送されてきた原稿を読取るための読取部１９が設けられている。
【００１９】
図２は、原稿送り装置１１の原稿搬送部を示す断面図であり、図１（Ａ）においてＩＩ-ＩＩで示した部分に対応する。図２を参照して、原稿送り装置１１の搬送部分には原稿載置台１２上に原稿が載置されているか否かを検知するための、上記した原稿検出スイッチ１４が設けられている。原稿検出スイッチ１４は、発光部１４ａと、この発光部１４ａに対向して原稿載置台１２の下部に設けられた受光部１４ｂとを含み、原稿載置台１２には発光部１４ａから照射される光が通過できるように図示しない孔が形成されている。原稿載置台１２上に原稿が載置されると、発光部１４ａからの光が遮断されるので、受光部１４ｂは原稿がセットされたことを検知する。このように載置された原稿は、図中矢印Ｃ方向に持ち上げる昇降部３２によって持ち上げられ、給紙コロ３３、その他の搬送部品３４ａ，３４ｂによって原稿読取部１９へ搬送される。
【００２０】
図３は、原稿読取装置１０の制御関係の要部を示すブロック図である。図３を参照して原稿読取装置１０は、装置全体を制御する制御部４１を含む。制御部４１は、原稿送り装置１１、原稿検出スイッチ１４、原稿サイズ検出センサ１５、読取部１９、表示部２０、原稿の読取を指示する読取指示キー４２、警報部４３を制御する。読取指示キー４２は、表示部２０内に内蔵されてもよい。
【００２１】
次に、原稿読取装置の制御部４１の行う制御内容について図４に示したフローチャートを参照して説明する。
【００２２】
まず、ユーザからの原稿の読取開始の要求を受け付ける（ステップＳ１１、以下、ステップを省略する）。具体的には、読取指示キー４２が押されたか否かを判断する。次いで、原稿検出スイッチ１４が原稿を検出しているか否かを判断する（Ｓ１２）。原稿検出スイッチ１４が原稿を検出しなかったときは、原稿サイズ検出センサ１５（１５ａ，１５ｂのいずれであってもよい）が原稿を検出しているか否かを判断する（Ｓ１３）。原稿検出スイッチ１４が原稿を検出せず、原稿サイズ検出センサ１５が原稿を検出していれば（Ｓ１３でＹＥＳ）、ユーザが原稿を正しくセットしていないということであるから、原稿が正しくセットされていないとしてその旨を表示部に表示する（Ｓ１４）。なお、このとき、あわせて、音による警報を発してもよい。
【００２３】
原稿サイズ検出センサ１５が原稿を検出しなければ（Ｓ１３でＮＯ）、ユーザは原稿を原稿テーブルにセットしたことを示しているから、原稿テーブルから原稿を読取る（Ｓ１５）。
【００２４】
なお、Ｓ１２で原稿検出スイッチ１４が原稿を検出していれば、原稿送り装置１１で原稿を搬送して、読取部１９で原稿を読取る。
【００２５】
このように、この実施の形態においては、原稿検出スイッチ１４が原稿を検出することなく、原稿サイズ検出センサ１５が原稿を検出したときは、ユーザに警告するようにしたため、従来のように、ユーザの意図しない原稿テーブルからの原稿の読取は行われない。その結果、ユーザの意図しない原稿の読取を防ぐことができる。
【００２６】
また、原稿検出スイッチや原稿サイズ検出センサは予め原稿読取装置に設けられているため、その出力を利用するだけで、原稿のセット不良を判断できる。したがって、既設の装置をそのまま利用できる。
【００２７】
なお、上記実施の形態においては、原稿サイズ検出センサとして、２個のセンサを用いた場合について説明したが、これに限らず、１個でもよいし、３個以上のセンサを用いてもよい。
【００２８】
また、上記実施の形態においては、原稿検出スイッチと原稿サイズ検出センサとを用いて原稿のセットが正しいか否かを判断したが、これに限らず、原稿検出スイッチと、他の原稿セットの判断用に設けたセンサとを用いてよい。また、原稿セット検出用に複数のセンサを設け、それを用いて原稿のセット状態を判断してもよい。
【００２９】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３０】
【図１】原稿読取装置の平面図である。
【図２】原稿搬送部の断面図である。
【図３】原稿読取装置の制御部の要部を示す図である。
【図４】原稿読取装置の動作内容を示すフローチャートである。
【符号の説明】
【００３１】
１０  原稿読取装置、１１  原稿送り装置、１２  原稿載置台、１３  ガイド辺、１４  原稿検出スイッチ、１５  原稿サイズ検出センサ、１６  ハードディスク、１７  カバー、１８  原稿テーブル、１９  読取部、２０  表示部、４３  警報部。
【図１】
2008211321.tif 000003
【図２】
2008211321.tif 000004
【図３】
2008211321.tif 000005
【図４】
2008211321.tif 000006